(57)【要約】【課題】  ボールを器具で打撃するスポーツにおけるボールを打撃する前の構えが適切であるか否かを確認する技術的手段を提供することを目的とし、特に、ゴルフにおけるアドレス時のボールに対するクラブフェイスの位置を確認する技術的手段を提供する。【解決手段】  打撃評価装置１のボール１０には、対をなす電極１２および１４が設けられている。電極１２および１４は、報知装置４０の報知部４２に接続されている。プレーヤは、クラブフェイス６０のミートエリア６２内の面を導電面にしたゴルフクラブ２のクラブフェイス６０を、ボール１０の電極１２および１４に接触するようにアドレスを行う。クラブフェイス６０のミートエリア６２内の導電面により電極１２および１４間が導通されると、報知部４２は、点灯して当該電極１２および１４間の導通を報知する。【選択図】図１
2016140569.tif 000002
【特許請求の範囲】
【請求項１】
複数個の電極で一つの組をなす電極の組であって、一組または複数組の前記電極の組が表面に露出し、前記電極の組の導通に応じて信号を出力することを特徴とするボール。
【請求項２】
前記電極の組は、前記ボールの表面より突出していることを特徴する請求項１に記載のボール。
【請求項３】
請求項１または２に記載のボールと、
前記電極の組の導通に応じて出力される信号に従って前記電極の組の導通を報知する報知手段と、
を有することを特徴とする打撃評価装置。
【請求項４】
請求項１または２に記載のボールであって、前記電極の組を複数組有するボールと、
前記複数組の電極の組の導通の態様に基づいて、前記ボールの打ち出される態様を算出してその結果を出力する算出手段と、
を有することを特徴とする打撃評価装置。
【請求項５】
請求項３または４に記載の打撃評価装置と、
前記ボールをショットするためのゴルフクラブであって、当該ゴルフクラブのクラブフェイスの所定のエリアの面を導電面とし、前記所定のエリア以外の面を絶縁面としたゴルフクラブと、
を有することを特徴とするゴルフ打撃評価装置。
【発明の詳細な説明】
【技術分野】
【０００１】
この発明は、ボールおよびそのボールの打撃が適切であるか否かをプレーヤが容易に判断することができる打撃評価装置に関し、特に、ゴルフのショット練習に好適なゴルフ打撃評価装置に関する。
【背景技術】
【０００２】
プレーヤがボールを器具で打撃するスポーツでは、その器具でボールを打撃する際に、その器具のミートエリアにボールを当てることが重要である。例えば、ゴルフでは、ゴルフクラブでゴルフボール（以下、単にボールという）をショットする際に、クラブフェイスのミートエリア内の面にボールを当てることが重要である。クラブフェイスのミートエリア内の面にボールが当たれば、ボールは、適切な方向にまたは距離を飛び、クラブフェイスのミートエリアから外れた面にボールが当たれば、ボールは、適切な方向にまたは距離を飛ばないからである。このため、プレーヤは、クラブフェイスのミートエリア内の面にボールを当てる適切なショットを行うことができるようにショット練習を行うことがある。なお、本明細書においてミートエリアとは、ボールを正しく所期の方向または距離に打つことができる範囲のことを言う。
【０００３】
ゴルフのショット練習に関する技術として、特許文献１に、ゴルフクラブのスイング時における当該ゴルフクラブのヘッドの移動軌跡（クラブパス）を表示するゴルフ練習装置が開示されている。このゴルフ練習装置は、ヘッドを検知する検知手段と当該検知手段によって検知したヘッドの移動軌跡を表示する表示手段とを有するマットを備えている。プレーヤがマット上でゴルフクラブをスイングすると、このゴルフ練習装置は、スイングによってマット上を通過するゴルフクラブのヘッドをマット上のセンサで検知し、スイング時のヘッドの軌跡をマット上に表示する。このゴルフ練習装置によれば、プレーヤは、ボールに対するヘッドの向き及びインパクト部位が判り、ボールの飛球方向を予測することができる。
【０００４】
また、特許文献２には、シート状のゴルフ練習具が開示されている。このゴルフ練習具は、ゴルフクラブのクラブフェイスと同じ形状になっており、片面が衝撃吸収面になっており、もう片面が接着面になっている。このゴルフ練習具は、接着面をクラブフェイスに接着して使用される。このゴルフ練習具には、当該ゴルフ練習具をクラブフェイスに接着したときにクラブフェイスのミートエリア内の面を露出させる穴部が設けられている。このゴルフ練習具を接着したゴルフクラブでボールをショットした時、ゴルフ練習具の衝撃吸収面にボールが当たった場合と、ゴルフ練習具の穴部により露出するミートエリア内の面にボールが当たった場合とでは、ボールの飛距離や音や打感が変わる。このため、このゴルフ練習具によれば、プレーヤは、ミートエリア内の面にボールが当たったか（すなわち、ジャストミートしたか）否かをショット時やショット後に確認することができる。
【先行技術文献】
【特許文献】
【０００５】
【特許文献１】特開２００３−０７０９５０号公報
【特許文献２】特開２００６−１７５１８３号公報
【発明の概要】
【発明が解決しようとする課題】
【０００６】
ボールをショットする際、プレーヤは、まず、ボールに対してゴルフクラブを構えるアドレスを行う。その後、プレーヤはゴルフクラブをスイングしてボールをショットする。ショット時にクラブフェイスのミートエリア内の面にボールを当てるためには、スイングも重要であるが、アドレスも重要である。具体的には、プレーヤは、ボールがクラブフェイスのミートエリア内の面に対向するようにゴルフクラブを構える、ということが重要である。
【０００７】
しかし、プレーヤは、アドレス時にクラブフェイスを見ることが困難である。このため、ボールがクラブフェイスのミートエリア内の面に対向する適切なアドレスをプレーヤが行うためには、プレーヤの熟練や経験が必要であった。その結果、アドレスが不適切であるために適切なショットができない、といった事態も起こっていた。
【０００８】
特許文献１のゴルフ練習装置および特許文献２のゴルフ練習具を使用したとしても、プレーヤは、アドレスが適切であるか否かを十分に確認することができない。
【０００９】
また、ゴルフに限らず、ボールを器具で打撃するスポーツでは、ゴルフのアドレスと同様に、ボールを打撃する前の構えが不適切であるために適切な打撃ができない、といった事態が起こり得る。
【００１０】
この発明は以上のような事情に鑑みてなされたものであり、ボールを器具で打撃するスポーツにおけるボールを打撃する前の構えが適切であるか否かを確認する技術的手段を提供することを目的とし、特に、ゴルフにおけるアドレス時のボールに対するクラブフェイスの位置を確認する技術的手段を提供することを目的とする。
【課題を解決するための手段】
【００１１】
この発明は、複数個の電極で一つの組をなす電極の組であって、一組または複数組の前記電極の組が表面に露出し、前記電極の組の導通に応じて信号を出力することを特徴とするボールを提供する。
【００１２】
この発明によれば、プレーヤが導電性を有する面をボールの表面に露出する一組または複数組の電極の組に接触させた場合、ボールは、当該電極の組の導通に応じた信号を出力し、プレーヤが導電性を有する面を当該電極の組に接触させなかった場合、ボールは、信号を出力しない。このため、ボールから出力される信号により、プレーヤが導電性を有する面を当該電極の組に接触させたか否かが分かる。従って、ボールを打撃する器具のミートエリア内を導電性を有する面にしておくことにより、プレーヤは、当該器具を当該電極の組に接触させることで、ボールを打撃する前の構えが適切であるか否かを確認することができる。例えば、ゴルフの場合、クラブフェイスのミートエリア内を導電性を有する面にしておくことにより、プレーヤは、アドレス時にクラブフェイスを当該電極の組に接触させることで、アドレス時におけるボールに対するクラブフェイスの位置を確認することができる。
【００１３】
また、この発明は、上記ボールと、前記電極の組の導通に応じて出力される信号に従って前記電極の組の導通を報知する報知手段と、を有することを特徴とする打撃評価装置を提供する。
【００１４】
この発明によれば、プレーヤが導電性を有する面をボールの表面に露出する一組または複数組の電極の組に接触させた場合、当該電極の組の導通が報知手段によって報知される。このため、プレーヤは、報知手段の報知により、ボールを打撃する前の構えが適切であるか否かを確実に確認することができる。例えば、ゴルフの場合、プレーヤは、報知手段の報知により、アドレス時におけるボールに対するクラブフェイスの位置を確実に確認することができる。
【図面の簡単な説明】
【００１５】
【図１】この発明の第１実施形態であるボール１０を含む打撃評価装置１の構成を示す図である。
【図２】同打撃評価装置１のボール１０をショットするのに使用するゴルフクラブ２の構成を示す図である。
【図３】アドレス時のボール１０とゴルフクラブ２のヘッド６４をプレーヤの視点から示す図である。
【図４】クラブフェイス６０における絶縁シート７０の面でボール１０をショットした後のクラブフェイス６０を示す図である。
【図５】この発明の第２実施形態であるボール１０Ａの構成を示す図である。
【図６】クラブフェイス６０における絶縁シート７０の面でボール１０Ａをショットした後のクラブフェイス６０を示す図である。
【図７】この発明の第３実施形態であるボール１０Ｂを含む打撃評価装置１Ｂの構成を示す図である。
【図８】図７のボール１０Ｂを斜め下から見上げたときのボール１０Ｂの構成を示す図である。
【図９】この発明の第４実施形態であるボール１０Ｃを含む打撃評価装置１Ｃの構成を示す図である。
【図１０】この発明の第５実施形態の打撃評価装置１Ｄの構成を示す図である。
【図１１】この発明の変形例（１）の打撃評価装置１Ｅの構成を示す図である。
【図１２】この発明の変形例（２）における電極１２および１４間の導通の瞬間のみ報知部４２が点灯する回路の一例を示す図である。
【図１３】この発明の変形例（２）における電極１２および１４間が導通してから報知部４２が所定時間点灯する回路の一例を示す図である。
【図１４】この発明の変形例（１０）におけるボール１０Ｆとゴルフクラブ２のヘッド６４とをプレーヤの視点から示す図である。
【図１５】この発明の変形例（１１）におけるボール１０Ｇを含む打撃評価装置１Ｇの構成を示す図である。
【図１６】この発明の変形例（１２）におけるボール１０Ｈを含む打撃評価装置１Ｈとゴルフクラブ２のヘッド６４とを示す図である。
【図１７】この発明の変形例（１３）における打撃評価装置１Ｊの構成を示す図である。
【図１８】同打撃評価装置１Ｊの電極１５ａ、１５ｂおよび１５ｃからなる電極の組の導通により報知部４２が点灯する回路の一例を示す図である。
【発明を実施するための形態】
【００１６】
以下、図面を参照し、この発明の実施形態について説明する。
＜第１実施形態＞
図１は、この発明の第１実施形態によるボール１０を含む打撃評価装置の一例であるゴルフ打撃評価装置（以下、単に打撃評価装置という）１の構成を示す図である。本実施形態の打撃評価装置１は、例えば、ゴルフのショット練習においてプレーヤによるショットが適切であるか否かをプレーヤが容易に判断することができる打撃評価装置である。図１に示すように、打撃評価装置１は、ボール１０と、ティー部２０と、台座３０と、報知装置４０とを含んでいる。
【００１７】
ティー部２０は、円筒状の部材である。ティー部２０は、例えば、ゴムなどの柔軟な素材を成形してなるものである。ティー部２０の一端には、ゴルフボールを模擬した球体状のボール１０が接着固定されている。ティー部２０の他端には、板状の台座３０が接着固定されている。台座３０は、ティー部２０が固定されている面を上にして地面などに設置される。このため、ボール１０は、ティー部２０および台座３０によって支持される。すなわち、ボール１０、ティー部２０および台座３０は、ティーグラウンドにセットされたゴルフボール等を模擬したものである。
【００１８】
ボール１０には、複数個の電極で一つの組をなす電極の組が一組または複数組設けられている。本実施形態の例では、ボール１０には、正の電極１２と負の電極１４の２個の電極で一つの組をなす電極の組（換言すると、電極対）が一組（一対）設けられている。電極１２および１４の各々は、例えば円盤状である。電極１２および１４は、ボール１０の表面に露出している。より具体的には、電極１２および１４は、ボール１０の表面よりも外側に突出している。また、電極１２および１４は、互いに接触していない。なお、電極１２および１４の形状は、円盤状に限らず、電極１２および１４の先端の表面の形状は円状に限らない。
【００１９】
電極１２および１４は、ティー部２０および台座３０によって支持された状態のボール１０の中心を通る水平面内に属するように配置されている。ボール１０の中心から電極１２の先端までの距離と、ボール１０の中心から電極１４の先端までの距離とは、同程度になっている。そして、電極１２および１４は、このボール１０の中心から電極１２の先端へ至る線とボール１０の中心から電極１４の先端へ至る線とのなす角度が極めて小さくなるように、互いに接近して配置されている。具体的には、電極１２および１４は、少なくとも、ゴルフクラブのクラブフェイスの所定のエリア（具体的にはミートエリア）と同程度の範囲内に当該電極１２および１４が共に収まる程度に接近して配置されている。このため、電極１２および１４は、当該電極１２および１４の両方が同時に同一平面に接触可能となっている。このように、当該電極１２および１４の両方が同時に同一平面に接触すると、電極１２および１４は、当該同一平面を介して互いに接続される。
【００２０】
電極１２および１４の各々は、ボール１０内、ティー部１０内および台座３０内を介して引き出されるコード５０によって報知装置４０に接続されている。報知装置４０は、発光ダイオード（ＬＥＤ）などの報知部４２と、バッテリなどの電源（図示略）を含んでいる。電極１２および１４、コード５０および報知装置４０は、金属などの導電性の部材によって電極１２および１４間が接続されるとボール１０から報知装置４０へ信号を出力する回路を構成している。具体的には、導電性の部材によって電極１２および１４間が接続されると、電極１２および１４間が導通して、報知部４２である発光ダイオードが点灯する、という具合である。
以上が、打撃評価装置１の構成である。
【００２１】
図２は、打撃評価装置１のボール１０をショットするのに使用するゴルフクラブ２の構成を示す図である。ゴルフクラブ２は、例えば、金属製のクラブフェイス６０を有するドライバである。本実施形態では、このクラブフェイス６０にシート状の絶縁シート７０がプレーヤ（ユーザ）によって貼り付けられる。絶縁シート７０は、クラブフェイス６０と同様の形状になっている。この絶縁シート７０には、当該絶縁シート７０をクラブフェイス６０に貼り付けたときにクラブフェイス６０の所定のエリア、具体的にはミートエリア６２内の面を露出させる開口部７２が設けられている。従って、絶縁シート７０が貼り付けられたゴルフクラブ２では、クラブフェイス６０のミートエリア６２内の面のみが導電性を有する面（以下、導電面という）となり、ミートエリア６２外の面は絶縁性を有する面（以下、絶縁面という）となる。なお、絶縁シート７０は、プレーヤによってクラブフェイス６０に対して着脱可能となっている。
【００２２】
また、絶縁シート７０は、当該絶縁シート７０上に圧力が加えられるとその圧力が加えられた位置に圧力が加えられたことを示す印を残す構成になっている。例えば、絶縁シート７０は、クラブフェイス６０に貼り付けられる絶縁紙などの下層シートの上に、複写用の上層シートを重ね合わせたものである。この上層シートは、例えば、絶縁紙の一方の面にカーボンを塗布したものである。この上層シートは、カーボンの塗布された面を下層シートに向い合せて下層シートに重ねられる。この態様の絶縁シート７０は、ある形状の物体（例えばボール）が上層シートの絶縁面に当たると、当該物体が当たった位置における背面のカーボンが下層シートの表面に転写され、当該物体の形状の跡が下層シートに残る。そして、プレーヤは、上層シートをめくって下層シートに残った跡を確認することができる。なお、圧力が加えられたことを示す印を残す態様は、上述のカーボンを用いた複写によって実現するものに限らない。
【００２３】
次に、本実施形態による打撃評価装置１の使用態様を説明する。
打撃評価装置１を使用したショット練習では、プレーヤは、図２のゴルフクラブ２で図１のボール１０の電極１２および１４部分をショットする。このショット練習において、プレーヤは、まず、ボール１０に対してゴルフクラブ２を構えるアドレスを行う。
【００２４】
図３は、アドレス時のボール１０とゴルフクラブ２のヘッドをプレーヤの視点から示す図である。図３に示すように、アドレスの際、プレーヤは、クラブフェイス６０をボール１０の電極１２および１４に軽く接触させるようにゴルフクラブ２を構える。プレーヤがこのようにゴルフクラブ２を構えた際に、電極１２および１４とクラブフェイス６０のミートエリア６２内の導電面とが接触すると、当該導電面によって電極１２および１４間が導通する。そして、電極１２および１４間が導通すると、報知部４２は、点灯して当該電極間の導通を報知する。プレーヤは、アドレスの際に報知部４２の点灯を確認することで、ボール１０に対向する位置にミートエリア６２内の面を配置していること（すなわち、ボール１０に対してクラブフェイス６０の位置が適正な位置になっていること）を認識することができる。
【００２５】
一方、プレーヤがゴルフクラブ２を構えた際に、電極１２および１４とミートエリア６２内の導電面とが接触しなかった場合（例えば、電極１２および１４とミートエリア６２外の絶縁面とが接触した場合）、電極１２および１４間は導通しない。この場合、報知部４２は、消灯した状態を維持する。プレーヤは、アドレスの際に報知部４２が消灯した状態であることを確認することで、ボール１０に対向する位置にミートエリア６２内の面が配置されていないこと（すなわち、ボール１０に対してクラブフェイス６０の位置が不適正な位置になっていること）を認識することができる。
【００２６】
プレーヤは、アドレスの後、スイングしてボール１０をショットする。プレーヤがクラブフェイス６０のミートエリア６２内の導電面でボール１０をショットした場合、インパクトの瞬間に当該導電面によって電極１２および１４間が導通する。この場合、プレーヤは、ミートエリア６２内の導電面でボール１０をショットしたことを報知部４２の点灯によって確認することができる。
【００２７】
一方、プレーヤがクラブフェイス６０のミートエリア６２内の導電面でボール１０をショットしなかった場合（例えば、クラブフェイス６０のミートエリア６２外の絶縁面でボール１０をショットした場合）、ボール１０の電極１２および１４間は導通しない。この場合、プレーヤは、ミートエリア６２内の導電面でボール１０をショットしなかったことを報知部４２が点灯しなかったことによって確認することができる。
【００２８】
図４は、クラブフェイス６０における絶縁シート７０の面（ミートエリア６２外の絶縁面）でボール１０をショットした後のクラブフェイス６０を示す図である。絶縁シート７０の面でボール１０をショットした場合、図４に示すように、インパクトによって絶縁シート７０にボール１０の跡、より正確には電極１２および１４の跡がショットマーク７４（換言するとミスマーク）として残る。具体的には、絶縁シート７０の上層シートの絶縁面に電極１２および１４が衝突すると、上層シートにおける当該衝突した位置の背面のカーボンが下層シートの表面に転写される。これによって、下層シートに円形の電極１２および１４の跡が残る。そして、プレーヤは、ショット後に絶縁シート７０の上層シートをめくって下層シートに複写された当該電極１２および１４の跡（すなわちショットマーク７４）を確認する。従って、プレーヤは、インパクトの位置がミートエリア６２から外れたとしてもショット後のショットマーク７４を見ることで、インパクトの位置がミートエリア６２からどの程度外れているかを視認することができる。
【００２９】
以上のように、本実施形態による打撃評価装置１は、導電面が外側から接触することにより導通する電極の組（具体的には電極１２および１４からなる電極対）を有するボール１０を備えている。このボール１０は、電極の組（電極対）の導通に応じて信号を報知装置４０に出力する。そして、打撃評価装置１は、プレーヤがクラブフェイス６０のミートエリア６２内の導電面によってボール１０の電極の組（電極対）を導通させると、ボール１０に対するクラブフェイス６０の位置が適切である旨を報知部４２の点灯により報知する。このため、プレーヤは、インパクト時のクラブフェイス６２の位置が適切であるか否かを知ることができるだけでなく、アドレス時のクラブフェイス６２の位置が適切であるか否かを知ることができる。
【００３０】
また、本実施形態によるボール１０の電極１２および１４は、ボール１０の表面よりも外側に突出している。このため、電極１２および１４は、ボールの表面と同程度の位置において露出する電極に比べ、クラブフェイス６０の導電面に接触し易くなっている。従って、本実施形態のボール１０は、電極がボールの表面と同程度の位置において露出するボールに比べ、電極の組（電極対）の導通をより確実に検知することができる。そして、本実施形態の打撃評価装置１は、ボール１０に対するクラブフェイス６０の位置が適切である旨の報知をより確実に行うことができる。また、本実施形態のボール１０は、電極がボールの表面と同程度の位置において露出するボールに比べ、クラブフェイス６０に貼り付けられた絶縁シート７０にインパクト時のショットマーク７４をより確実に付けることができる。なお、電極１２および１４は、当該電極１２および１４の円盤の面とクラブフェイス６０の導電面とが面接触する態様に限られず、当該電極１２および１４の各々がクラブフェイス６０の導電面と点接触する態様であっても良い。
【００３１】
また、打撃評価装置１では、ボール１０がティー部２０に接着固定されている。このため、打撃評価装置１では、プレーヤがゴルフクラブ２でボール１０をショットしても、ティー部２０が曲がるのみで、ボール１０がティー部２０から離れることはない。従って、打撃評価装置１は、使用に際して広い空間を必要とせず、プレーヤは、打撃評価装置１を屋内などにおいても使用することができる。
【００３２】
＜第２実施形態＞
図５は、この発明の第２実施形態によるボール１０Ａの構成を示す図である。本実施形態によるボール１０Ａは、電極１２および１４に代えて電極１２Ａおよび１４Ａを有する点において第１実施形態によるボール１０と異なる。電極１２Ａおよび１４Ａは、その形状が電極１２および１４と異なる。より詳細には、負の電極１４Ａは、円環形状になっている。正の電極１２Ａは、例えば円形になっており、電極１４Ａの円環の中央に配置されている。すなわち、対の電極１２Ａおよび１４Ａは、二重丸のような形状になっている。なお、本実施形態によるボール１０Ａもボール１０と同様に、電極１２Ａおよび１４Ａ間の導通に応じて信号を出力する。
【００３３】
図６は、クラブフェイス６０における絶縁シート７０の面（ミートエリア６２外の絶縁面）で本実施形態のボール１０Ａをショットした後のクラブフェイス６０を示す図である。絶縁シート７０の面で本実施形態のボール１０Ａをショットした場合、絶縁シート７０には、インパクトによって二重丸のショットマーク７４Ａが残る。このため、プレーヤは、第１実施形態におけるショットマーク７４に比べ、ショットマーク７４Ａをよりはっきりと視認することができる。
【００３４】
＜第３実施形態＞
図７は、この発明の第３実施形態によるボール１０Ｂを含む打撃評価装置１Ｂの構成を示す図である。本実施形態による打撃評価装置１Ｂは、ボール１０に代えてボール１０Ｂを、ティー部２０に代えてティー部２０Ｂを有する点において第１実施形態による打撃評価装置１と異なる。第１実施形態の打撃評価装置１では、ボール１０はティー部２０に接着固定されていた。これに対して、本実施形態の打撃評価装置１Ｂは、ティー部２０Ｂに対してボール１０Ｂを分離可能にしたものである。
【００３５】
ティー部２０Ｂは、台座３０が固定されている端に対して反対の端に、対をなす正の電極２６Ｂと負の電極２８Ｂを有する点においてティー部２０と異なる。負の電極２８Ｂは、例えば、円環形状になっている。正の電極２６Ｂは、例えば、円形であり、負の電極２８Ｂの円環の中央に配置されている。これらの電極２６Ｂおよび２８Ｂは、コード５０を介して報知装置４０に接続されている。ティー部２０Ｂの電極２６Ｂおよび２８Ｂ側端の上には、ボール１０Ｂがセットされる。
【００３６】
図８は、図７のボール１０Ｂを斜め下から見上げたときのボール１０Ｂの構成を示す図である。ボール１０Ｂは、電極１２および１４に加え、さらに、対をなす正の電極１６Ｂと負の電極１８Ｂを有する点においてボール１０と異なる。電極１６Ｂおよび１８Ｂは、ボール１０Ｂをティー部２０Ｂ上にセットする際にティー部２０Ｂの電極２６Ｂおよび２８Ｂと各々接触する電極である。より詳細には、負の電極１８Ｂは、例えば、電極２８Ｂと同様に円環形状になっている。正の電極１６Ｂは、例えば、電極１６Ｂと同様に円形であり、負の電極１８Ｂの円環の中央に配置されている。また、電極１６Ｂは電極１２に接続されており、電極１８Ｂは電極１４に接続されている。
【００３７】
本実施形態による打撃評価装置１Ｂを使用するプレーヤは、ショットに際し、電極２６Ｂおよび２８Ｂに電極１６Ｂおよび１８Ｂを接触させるようにしてボール１０Ｂをティー部２０Ｂ上にセットする。このようにボール１０Ｂがセットされると、ボール１０Ｂは、電極１２および１４間の導通に応じて電極１６Ｂおよび１８Ｂを介して報知装置４０に信号を出力する。このため、本実施形態においても第１実施形態と同様に、プレーヤは、インパクト時のクラブフェイス６０の位置が適切であるか否かを知ることができるだけでなく、アドレス時のクラブフェイス６０の位置が適切であるか否かを知ることができる。
【００３８】
また、打撃評価装置１Ｂでは、プレーヤのショットによって、ボール１０Ｂがティー部２０Ｂから分離する。このため、打撃評価装置１Ｂは、第１実施形態の打撃評価装置１に比べ、打感が良い。
【００３９】
なお、ティー部２０Ｂの電極２６Ｂおよびボール１０Ｂの電極１６Ｂは、円環形状のものに限られず、ティー部２０Ｂの電極２８Ｂおよびボール１０Ｂの電極１８Ｂは、円形状で円環の中央に配置されるものに限らない。少なくとも、ティー部２０Ｂの電極２６Ｂおよび２８Ｂおよびボール１０Ｂの電極１６Ｂおよび１８Ｂは、ボール１０Ｂをティー部２０Ｂ上にセットしたときにそれらの電極が各々接触するものであれば良い。
【００４０】
＜第４実施形態＞
図９は、この発明の第４実施形態によるボール１０Ｃを含む打撃評価装置１Ｃの構成を示す図である。本実施形態による打撃評価装置１Ｃは、ボール１０に代えてボール１０Ｃを、報知装置４０に代えて報知装置４０Ｃを有する点において第１実施形態による打撃評価装置１と異なる。
【００４１】
本実施形態のボール１０Ｃには、２個の電極で一つの組をなす電極の組（換言すると、電極対）が複数組（複数対）設けられている点において第１実施形態のボール１０と異なる。具体的には、ボール１０Ｃは、正の電極１２Ｃ１と負の電極１４Ｃ１とからなる電極対１３Ｃ１と、正の電極１２Ｃ２と負の電極１４Ｃ２とからなる電極対１３Ｃ２と、・・・（中略）・・・、正の電極１２Ｃ１６と負の電極１４Ｃ１６とからなる電極対１３Ｃ１６とを有している。このように、図９に例示するボール１０Ｃは、電極対を１６対有している。なお、電極１２Ｃ１〜１２Ｃ１６、電極１４Ｃ１〜１４Ｃ１６および電極対１３Ｃ１〜１３Ｃ１６をそれぞれ区別しないときは、電極１２Ｃｎ、電極１４Ｃｎおよび電極対１３Ｃｎと表記する。また、電極対１３Ｃｎは、例えば、マトリクス状（図９の例では、４×４のマトリクス状）に配置される。なお、電極対の数は、１６対に限らない。
【００４２】
報知装置４０Ｃは、ボール１０Ｃの電極の組（電極対）の組数（対数）だけ報知部が設けられている点において第１実施形態の報知装置４０と異なる。具体的には、報知装置４０Ｃは、１６個の報知部４２Ｃ１〜４２Ｃ１６を有している。なお、報知部４２Ｃ１〜４２Ｃ１６を区別しないときは、４２Ｃｎと表記する。報知部４２Ｃｎの各々は、コード５０を介してボール１０Ｃの各電極対１３Ｃｎを構成する各電極１２Ｃｎおよび１４Ｃｎに接続されている。具体的には、報知部４２Ｃ１は電極１２Ｃ１および１４Ｃ１に接続され、報知部４２Ｃ２は電極１２Ｃ２および１４Ｃ２に接続され、・・・（中略）・・・、報知部４２Ｃ１６は電極１２Ｃ１６および１４Ｃ１６に接続されている。また、報知部４２Ｃｎは、電極対１３Ｃｎと同様にマトリクス状に配置されている。すなわち、マトリクスの各位置の報知部４２Ｃｎは、当該各位置の電極対１３Ｃｎに各々対応している。
【００４３】
打撃評価装置１Ｃでは、複数の電極対１３Ｃｎのうち対をなす電極１２Ｃｎと１４Ｃｎの両方がクラブフェイス６０のミートエリア６２内の導電面に接触した電極対１３Ｃｎの電極１２Ｃｎおよび１４Ｃｎ間のみが導通する。そして、電極１２Ｃｎおよび１４Ｃｎ間の導通に応じて、当該導通した電極１２Ｃｎおよび１４Ｃｎに対応する位置の報知部４２Ｃｎのみが点灯して当該電極１２Ｃｎおよび１４Ｃｎ間の導通を報知する。例えば、プレーヤがアドレスをした際に、クラブフェイス６０のミートエリア６２内の導電面が電極１２Ｃ６および１４Ｃ６と電極１２Ｃ７および１４Ｃ７に接触した場合、報知部４２Ｃ６と４２Ｃ７のみが点灯し、他の報知部４２Ｃｎは消灯を維持する、という具合である。
【００４４】
以上のように、本実施形態の打撃評価装置１Ｃのボール１０Ｃは、導電面が外側から接触することにより導通する複数の電極対１３Ｃｎを有する。このため、第１実施形態と同様に、プレーヤは、インパクト時のクラブフェイス６０の位置が適切であるか否かを知ることができるだけでなく、アドレス時のクラブフェイス６０の位置が適切であるか否かを知ることができる。また、打撃評価装置１Ｃのボール１０Ｃは複数の電極対１３Ｃｎを有するため、プレーヤは、クラブフェイス６０のミートエリア６２内の導電面がボール１０Ｃに対向しているか否かを知ることができるだけでなく、クラブフェイス６０のミートエリア６２内の導電面がボール１０Ｃのどの位置に対向しているかを知ることができる。
【００４５】
なお、電極対１３Ｃｎは、ボール１０Ｃの表面に沿って曲面状に配置されるため、ボール１０Ｃは、柔軟性のある素材を成形してなるものであるのがより好ましい。これは、クラブフェイス６０がボール１０Ｃに押し当てられた際にボール１０Ｃが容易に変形し、クラブフェイス６０の導電面と電極対１３Ｃｎとがより確実に接触するようになるからである。従って、この態様では、より確実にアドレス時およびショット時の評価を行うことができる。
【００４６】
＜第５実施形態＞
図１０は、この発明の第５実施形態による打撃評価装置１Ｄの構成を示す図である。本実施形態による打撃評価装置１Ｄは、報知装置４０Ｃに代えて制御装置８０を有する点において第４実施形態による打撃評価装置１Ｃと異なる。打撃評価装置１Ｄのボール１０Ｃは、第４実施形態のそれと同様に、電極の組（具体的には電極対１３Ｃｎ）を複数組（複数対）有しており、各々の電極の組（電極対１３Ｃｎ）の導通に応じてコード５０を介して制御装置８０に信号を出力する。
【００４７】
制御装置８０は、ボール１０Ｃの各電極の組（電極対１３Ｃｎ）の導通の態様に基づいて、ボール１０Ｃの打ち出される態様を算出してその結果を出力する算出手段である。以下、制御装置８０をより詳細に説明する。制御装置８０は、マイコンなどの演算処理装置（図示略）を含んでいる。この演算処理装置には、電極対１３Ｃｎの導通を示す信号が電極対１３Ｃｎ毎に供給される。
【００４８】
アドレスの際には、プレーヤは、インパクトの際に比べ、クラブフェイス６０の導電面をボール１０Ｃに（より正確には、ボール１０Ｃの電極対１３Ｃｎに）長時間接触させることが多い。このため、ボール１０Ｃは、アドレスの際に、ボール１０Ｃの各電極対１３Ｃｎの導通の態様として、電極対１３Ｃｎの導通を示す信号を一定時間以上継続して出力する。
【００４９】
制御装置８０の演算処理装置は、電極対１３Ｃｎの導通を示す信号の受信継続時間が一定時間以上の場合における同信号の供給元の電極対１３Ｃｎの位置からクラブフェイス６０の位置や角度を算出し、ボール１０Ｃの打ち出される態様として、ボール１０Ｃの飛球方向を算出する。例えば、制御装置８０の演算処理装置は、図１０の電極対１３Ｃ５および１３Ｃ９の導通を示す信号を一定時間以上継続して受信した場合、電極対１３Ｃ５および１３Ｃ９の位置からクラブフェイス６０のいわゆる開き気味の角度を算出して、その算出した角度に応じた真っ直ぐよりも右側にそれる飛球方向を算出する、という具合である。この態様では、プレーヤは、アドレスの時点でボール１０Ｃの打ち出される態様を予測することができる。
【００５０】
また、インパクトの際には、ボール１０Ｃは、少なからず変形する。このため、インパクトの際には、クラブフェイス６０のミートエリア６２内の導電面によって導通する電極対１３Ｃｎの数が時間とともに変化する。例えば、インパクトによってボール１０Ｃが変形すると、導電面がボール１０Ｃに接触した瞬間から、次第に、導通する電極対１３Ｃｎの数が多くなり、ボール１０Ｃにおける導電面との接触面積が大きくなる。換言すると、導電面がボール１０Ｃに接触した瞬間に導通した電極対１３Ｃｎの導通に後続して、その周囲の電極対１３Ｃｎが順次遅れて導通する。このため、ボール１０Ｃは、インパクトの際に、ボール１０Ｃの各電極対１３Ｃｎの導通の態様として、電極対１３Ｃｎの導通を示す信号を電極対１３Ｃｎ毎に異なったタイミングで順次出力する。
【００５１】
制御装置８０の演算処理装置は、電極対１３Ｃｎの導通を示す信号の供給元の電極対１３Ｃｎの位置と同信号を受信したタイミングとを関連付けてレジスタに書き込む。そして、制御装置８０の演算処理装置は、同信号の供給元の電極対１３Ｃｎの位置と同信号の受信タイミングから、ボール１０Ｃの打ち出される態様として、ボール１０Ｃの飛球方向や飛球速度や飛球距離などを算出する。例えば、制御装置８０の演算処理装置は、順次遅れて供給された同信号の各々の供給元の電極対１３Ｃｎの各位置からボールの飛球方向を算出する、といった具合である。また、例えば、演算処理装置は、順次遅れて供給された同信号の各々の受信タイミングとそれら受信タイミング間の時間差から飛球速度を算出する、といった具合である。そして、制御装置８０の演算処理装置は、各種算出結果を他の装置に出力する。
【００５２】
このように、打撃評価装置１Ｄは、プレーヤによるショットの内容を示す情報を出力する。このため、打撃評価装置１Ｄの出力端子（図示略）に、例えば、ゲーム機などの他の制御装置を接続すると、打撃評価装置１Ｄは、当該ゲーム機などの他の制御装置に飛球方向や飛球速度などを出力するインターフェースとして動作する。従って、例えば、ゲーム機のインターフェースとして打撃評価装置１Ｄを用いた場合、打撃評価装置１Ｄは、よりリアルなゴルフゲームをプレーヤに体感させることができる。なお、打撃評価装置１Ｄの出力端子に接続される装置はゲーム機に限らない。
【００５３】
なお、第４実施形態と同様に、ボール１０Ｃは、柔軟性のある素材を成形してなるものであるのがより好ましい。これは、第４実施形態と同様の理由だからである。
【００５４】
＜他の実施形態＞
以上、この発明の各実施形態について説明したが、この発明には他にも実施形態が考えられる。例えば次の通りである。
【００５５】
（１）図１１は、この変形例の打撃評価装置１Ｅの構成を示す図である。この変形例の打撃評価装置１Ｅは、ティー部２０に代えてティー部２１および２２を有する点において第１実施形態の打撃評価装置１と異なる。ティー部２１および２２は、各々円筒状の部材である。ティー部２２の一端には、ボール１０が接着固定されている。ティー部２２は、ティー部２１の一端にティー部２１に対して垂直に連結されている。ティー部２２は、ティー部２１を回転の中心として回転自在にティー部２１に支持されている。ティー部２１の他端には、台座が接着固定されている。プレーヤが打撃評価装置１Ｅのボール１０をショットすると、ボール１０は、ティー部２２とともにティー部２１の周りを回転する。このため、打撃評価装置１Ｅは、第１実施形態の打撃評価装置１に比べ、打感が良い。
【００５６】
（２）上記第１実施形態による打撃評価装置１では、ボール１０の電極１２および１４間の導通に応じて報知部４２が点灯していた。この報知部４２は、電極１２および１４間の導通の瞬間のみ点灯しても良いし、電極１２および１４間が導通してから所定時間点灯しても良い。電極１２および１４間の導通の瞬間のみ点灯する態様は、例えば、図１２に示すように、電極１２および１４と電源４１と報知部４２（図１２では発光ダイオード）とを直列に接続することにより実現することができる。また、電極１２および１４間が導通してから所定時間点灯する態様は、例えば、図１３に示すように、図１２の回路の報知部４２の両端にコンデンサ４４を並列に接続することにより実現することができる。図１３に示す回路では、電極１２および１４間が接続されると報知部４２が点灯するとともにコンデンサに電荷が蓄えられる。その状態から電極１２および１４間が開放されると、コンデンサに蓄えられた電荷が報知部４２に供給され、当該蓄えられた電荷が報知部４２によって消費されるまで報知部４２が点灯する、という具合である。また、報知装置４０は、報知部４２の点灯時間を変化させる操作子を有し、プレーヤによる当該操作子の操作に応じて報知部４２の点灯時間が調整可能であっても良い。この態様は、例えば、図１３のコンデンサ４４を可変コンデンサに代え、操作子の操作に応じて可変コンデンサの容量が変わるようにすることにより実現することができる。この態様では、例えば、報知部４２の点灯時間を長くすれば、プレーヤは、ショット後に報知部４２の点灯を容易に確認することができる。なお、他の実施形態の報知部４２〜４２Ｃｎにおいても同様である。
【００５７】
（３）上記第１〜第４実施形態による打撃評価装置１〜１Ｃの報知部４２〜４２Ｃｎは発光ダイオードであった。しかし、報知部４２〜４２Ｃｎは、発光ダイオードに限らない。例えば、報知部４２〜４２Ｃｎはスピーカであっても良い。この態様では、例えば、電極１２〜１２Ｃｎおよび１４〜１４Ｃｎ間の導通に応じて快音をスピーカから放音すれば良い。
【００５８】
（４）第３実施形態の打撃評価装置１Ｂでは、ボール１０Ｂとティー部２０Ｂとが分離可能であった。この打撃評価装置１Ｂにおいて、ボール１０Ｂとティー部２０Ｂとを、例えば、紐などにより連結しても良い。
【００５９】
（５）第１実施形態のボール１０の電極１２および１４は、ボール１０の表面よりも外側に突出していた。しかし、電極１２および１４は、ボール１０の表面よりも外側に突出していなくても良い。少なくとも、電極１２および１４は、クラブフェイス６０のミートエリア６２内の導電面と当該電極１２および１４が接触可能な程度にボール１０の表面に露出していれば良い。また、第１実施形態のボール１０の電極１２および１４の形状は、円盤状であった。しかし、電極１２および１４の形状は、円盤状に限らない。
【００６０】
（６）上記各実施形態では、ボール１０をドライバでショットする態様を示していた。しかし、ボール１０をショットするゴルフクラブはドライバに限られない。例えば、アイアンやパターであっても良い。アイアンは、ドライバと同様に、金属製のクラブフェイスを有している。このため、アイアンを使用する態様では、ドライバと同様に、クラブフェイスに貼り付けた際にミートエリア内の面を露出させる穴を有する絶縁シートを、当該アイアンのクラブフェイスに貼り付けるのが好ましい。一方、パターは、木製のクラブフェイスを有するものもある。木製のクラブフェイスを有するパターを使用する態様では、当該パターのクラブフェイスのミートエリア内の面に導電性を有するシート（例えば金属製のシート）を貼り付けるのが好ましい。
【００６１】
（７）第１実施形態の絶縁シート７０は、当該絶縁シート７０上に圧力が加えられるとその圧力が加えられた位置に圧力が加えられたことを示す印を残す構成になっていた。しかし、絶縁シート７０は、圧力が加えられた位置に圧力が加えられたことを示す印を残すものでなくてもよい。この態様では、絶縁シート７０上でボール１０をインパクトした際に、ショットマークが明確に残らないこともある。しかし、クラブフェイス６０のミートエリア６２内の導電面によるボール１０の電極１２および１４間の導通により、ボール１０に対するクラブフェイス６０の位置を確認することができる点において上記第１実施形態と同様だからである。
【００６２】
（８）また、絶縁シート７０におけるミートエリア６２内の面を露出させる開口部７２は、プレーヤによってその大きさ（径）を変えることができるものであっても良い。例えば、開口部７２の大きさが異なる複数の絶縁シート７０を準備しておいて、それら複数の絶縁シート７０の中から開口部７２の大きさが適切な絶縁シート７０をプレーヤが選択して使用する、という態様が挙げられる。また、例えば、絶縁シート７０に径の異なる複数の円形のミシン目を同心円状に設け、プレーヤは、それら複数の円形のミシン目の中から適切な径のものを選択して、その選択した径のミシン目に沿って穴を開ける、という態様が挙げられる。このように絶縁シート７０の開口部７２の大きさを変更可能にすることにより、プレーヤは、自分の熟練度に応じて打撃評価装置を使用することができる。また、絶縁シート７０の開口部７２の形状は、円形でなくても良い。
【００６３】
（９）上記第５実施形態では、制御装置８０は、ティー部２０および台座３０の外に設けられていた。しかし、制御装置８０は、ティー部２０および台座３０内に内蔵されても良い。
【００６４】
（１０）上記第１実施形態のボール１０では、ボール１０の中心から電極１２の先端までの距離と、ボール１０の中心から電極１４の先端までの距離とが、同程度になっていた。しかし、ボール１０の中心から電極１２の先端までの距離と、ボール１０の中心から電極１４の先端までの距離とが、異なっていても良い。図１４は、この変形例におけるボール１０Ｆを含む打撃評価装置１Ｆとゴルフクラブ２のヘッド６４とをプレーヤの視点から示す図である。打撃評価装置１Ｆは、ボール１０に代えてボール１０Ｆを有する点において第１実施形態による打撃評価装置１と異なる。ボール１０Ｆは、電極１２に代えて電極１２Ｆを、電極１４に代えて電極１４Ｆを有する点において第１実施形態のボール１０と異なる。打撃評価装置１Ｆのボール１０Ｆでは、ボール１０Ｆの中心から電極１２Ｆの先端までの距離に比べ、ボール１０Ｆの中心から電極１４Ｆの先端までの距離が長くなっている。換言すると、ボール１０Ｆでは、ボール１０Ｆの表面からの電極１４Ｆの突出高さが、ボール１０Ｆの表面からの電極１２Ｆの突出高さに比べて高くなっている。このため、図１４に示すように、電極１２Ｆと１４Ｆの両方がクラブフェイス６０の導電面に接触した状態では、クラブフェイス６０は、当該クラブフェイス６０の水平方向におけるシャフト６６寄りの部分に比べ、当該クラブフェイス６０の水平方向におけるシャフト６６から遠い部分がボール１０Ｆから後退した姿勢（いわゆる開き気味の姿勢）となる。このように、この態様では、クラブフェイス６０のいわゆる開き気味の姿勢も評価することができる。
【００６５】
また、ボール１０Ｆは、その表面からの電極１２Ｆおよび１４Ｆの突出高さを変更可能であっても良い。例えば、ボール１０Ｆは、その表面にねじ溝を有する開口部が設けられており、側面にねじ山が設けられた電極１２Ｆおよび１４Ｆをそのねじ溝に螺合したものである、という具合である。この態様のボール１０Ｆは、プレーヤが電極１２Ｆおよび１４Ｆを回転させることで、電極１２Ｆおよび１４Ｆの突出高さを自在に変更可能である。また、他の例では、ボール１０Ｆは、電極１２Ｆおよび１４Ｆが当該ボール１０Ｆから着脱可能である、という具合である。この態様のボール１０Ｆは、プレーヤが電極の突出高さが異なる他の電極を電極１２Ｆおよび１４Ｆとしてボール１０Ｆに取り付けることで、電極１２Ｆおよび１４Ｆの突出高さを自在に変更可能である。このため、電極１２Ｆおよび１４Ｆの突出高さを変更可能な態様のボール１０Ｆでは、クラブフェイス６０の導電面が電極１２Ｆおよび１４Ｆに接触した際のクラブフェイスの開き角度（クラブフェイス６０の水平方向におけるシャフト６６寄りの部分に比べ、当該クラブフェイス６０の水平方向におけるシャフト６６から遠い部分がボール１０Ｆから後退する程度）を調整することができる。
【００６６】
（１１）上記第１実施形態のボール１０の電極１２および１４は、ティー部２０および台座３０によって支持された状態のボール１０の中心を通る水平面内に属するように配置されていた。しかし、電極１２および１４の配置態様は水平に限らない。図１５は、この変形例のボール１０Ｇを含む打撃評価装置１Ｇの構成を示す図である。打撃評価装置１Ｇは、ボール１０に代えてボール１０Ｇを有する点において第１実施形態の打撃評価装置１と異なる。ボール１０Ｇは、電極１２および１４に代えて電極１２Ｇおよび１４Ｇを有する点においてボール１０と異なる。図１５に示すように、電極１２Ｇおよび１４Ｇは、ボール１０Ｇの中心を通る鉛直面内に属するように配置されている。打撃評価装置１Ｇは、電極１２Ｇおよび１４Ｇが接近して配置されている点において打撃評価装置１と同様であるため、第１実施形態と同様の効果が得られる。
【００６７】
（１２）図１６は、この変形例におけるボール１０Ｈを含む打撃評価装置１Ｈとゴルフクラブ２のヘッド６４とを示す図である。打撃評価装置１Ｈは、ボール１０に代えてボール１０Ｈを有する点において第１実施形態のボール１０と異なる。ボール１０Ｈは、電極１２および１４に代えて電極１２Ｈおよび１４Ｈを有する点においてボール１０と異なる。電極１２Ｈおよび１４Ｈは、変形例（１１）の電極１２Ｇおよび１４Ｇと同様に、ボール１０Ｈの中心を通る鉛直面内に属するように配置されている。具体的には、電極１４Ｈは、電極１２Ｈに比べ、台座３０側に配置されている。さらに、ボール１０Ｈでは、変形例（１０）の電極１２Ｆおよび１４Ｆと同様に、ボール１０Ｈの中心から電極１２Ｈの先端までの距離に比べ、ボール１０Ｈの中心から電極１４Ｈの先端までの距離が長くなっている。換言すると、ボール１０Ｈでは、ボール１０Ｈの表面からの電極１４Ｈの突出高さが、ボール１０Ｈの表面からの電極１２Ｈの突出高さに比べて高くなっている。このため、図１６に示すように、電極１２Ｈと１４Ｈの両方がクラブフェイス６０の導電面に接触した状態では、クラブフェイス６０は、当該クラブフェイス６０の鉛直方向におけるシャフト６６から遠い部分に比べ、当該クラブフェイス６０の鉛直方向におけるシャフト６６寄りの部分がボール１０Ｈへ前進した姿勢（いわゆる被せ気味の姿勢）となる。このように、この態様では、クラブフェイス６０のいわゆる被せ気味の姿勢も評価することができる。
【００６８】
また、ボール１０Ｈは、変形例（１０）と同様に、電極１２Ｈおよび１４Ｈの突出高さを変更可能であっても良い。この態様のボール１０Ｈでは、クラブフェイス６０の導電面が電極１２Ｈおよび１４Ｈに接触した際のクラブフェイスの被せ角度（クラブフェイス６０の鉛直方向におけるシャフト６６から遠い部分に比べ、当該クラブフェイス６０の鉛直方向におけるシャフト６６寄りの部分がボール１０Ｈへ前進する程度）を調整することができる。
【００６９】
（１３）上記第１実施形態のボール１０では、２個の電極（電極１２および１４）によって一つの電極の組が構成されていた。しかし、ボールに設けられる電極の組を構成する電極の数は２個に限らない。例えば、電極の組を構成する電極の数は３個であっても良い。図１７は、この変形例におけるボール１０Ｊを含む打撃評価装置１Ｊの構成を示す図である。打撃評価装置１Ｊは、ボール１０に代えてボール１０Ｊを有する点において第１実施形態の打撃評価装置１と異なる。図１７に示すように、この変形例のボール１０Ｊは、電極１２および１４に代えて電極１５ａ、１５ｂおよび１５ｃを有する点において第１実施形態のボール１０と異なる。電極１５ａ、１５ｂおよび１５ｃは、一組の電極の組を構成している。この電極１５ａ、１５ｂおよび１５ｃは、互いに接触しない程度に密集して配置されている。具体的には、電極１５ｂと１５ｃは、水平方向に並べて配置されており、電極１５ａは、電極１５ｂおよび１５ｃに比べ、鉛直方向の上側に配置されている。そして、電極１５ａの先端、電極１５ｂの先端および電極１５ｃの先端は、それらが属するひとつの面を決定している。
【００７０】
本実施形態の打撃評価装置１Ｊでは、電極１５ａ、１５ｂおよび１５ｃのすべてがクラブフェイス６０の導電面に接触した場合に、報知部４２を点灯させる。図１８は、電極１５ａ、１５ｂおよび１５ｃからなる電極の組の導通により報知部４２が点灯する回路の一例を示す図である。図１８の例では、電極１５ａは、電源４１の正極に接続されている。電極１５ｂおよび１５ｃは、論理積（ＡＮＤ）回路４６の各入力端子に接続されている。論理積回路４６の出力端子は、直列に接続された抵抗４８および報知部（図１８では発光ダイオード）４２を介して電源４１の負極に接続されている。これらより、電極１５ａは正極の役割を担い、電極１５ｂおよび１５ｃは負極の役割を担う。図１８に示す回路では、電極１５ａと１５ｂとが接続されると、論理積回路４６の一方の入力端子に電源４１の電圧が印加され、電極１５ａと１５ｃとが接続されると、論理積回路４６の他方の入力端子に電源４１の電圧が印加される。電極１５ａ、１５ｂおよび１５ｃのすべてが接続されると、論理積回路４６は、両方の入力端子に電源４１の電圧が印加されるため、出力端子から電源４１の電圧を出力する。そして、報知部４２は、論理積回路４６から電源４１の電圧が出力されるのに応じて点灯する。なお、抵抗４８は、報知部４２に過度に電流が供給されないようにするための抵抗であるが、必ずしも必要ではない。
【００７１】
打撃評価装置１Ｊでは、３個の電極のすべてが接続された場合に報知部４２が点灯するため、水平方向のクラブフェイス６０の角度の評価と鉛直方向のクラブフェイス６０の角度の評価の両方の評価を行うことができる。なお、ボール１０Ｊは、上記変形例（１０）および（１２）と同様に、電極１５ａ〜１５ｃの突出高さを変更可能であっても良い。また、電極１５ａ〜１５ｃの配置は図１７および１８の例に限らない。また、ボール１０Ｊには、３個で一組の電極の組が複数組設けられても良い。なお、電極の組を構成する電極の数は３よりも多い数であっても勿論良い。
【００７２】
（１４）上記各実施形態および各変形例のボール１０〜１０Ｊは、ゴルフボールを模擬したものであり、打撃評価装置１〜１Ｊは、ゴルフのショット練習に好適なゴルフ打撃評価装置であった。しかし、ボールは、ゴルフボールを模擬したものに限らず、打撃評価装置は、ゴルフ打撃評価装置に限らない。少なくとも、ボールは、複数個の電極で一つの組をなす電極の組であって、一組または複数組の電極の組が表面に露出し、その電極の組の導通に応じて信号を出力するものであれば良く、打撃評価装置は、そのボールと、電極の組の導通に応じて出力される信号に従って電極の組の導通を報知する報知手段とを有するものであれば良い。例えば、ボールは、卓球のボールを模擬したものであり、打撃評価装置は卓球の練習に好適な打撃評価装置であっても良い。この態様の打撃評価装置は、例えば、卓球台に設置され、ボールは、打撃し易い高さに支持される。そして、この態様のプレーヤは、ミートエリア内に導電性を有するシートを貼り付けたラケットをこのボールに接触させるように構えれば良い。このように、ボールおよび打撃評価装置を用いれば、プレーヤは、ゴルフに限らず、ボールを器具で打撃するスポーツにおけるボールを打撃する前の構えが適切であるか否かを確認することができる。
【００７３】
（１５）ボールおよび打撃評価装置は、各実施形態および各変形例の技術的特徴を組み合わせたものであっても良い。
【符号の説明】
【００７４】
１，１Ｂ，１Ｃ，１Ｄ，１Ｅ，１Ｆ，１Ｇ，１Ｈ，１Ｊ…打撃評価装置、２…ゴルフクラブ、１０，１０Ａ，１０Ｂ，１０Ｃ，１０Ｆ，１０Ｇ，１０Ｈ，１０Ｊ…ボール、１２，１２Ａ，１２Ｃｎ，１２Ｆ，１２Ｇ，１２Ｈ，１４，１４Ａ，１４Ｃｎ，１４Ｆ，１４Ｇ，１４Ｈ，１５ａ，１５ｂ，１５ｃ，１６Ｂ，１８Ｂ，２６Ｂ，２８Ｂ…電極、１３Ｃｎ…電極対、２０，２１，２２…ティー部、３０…台座、４０…報知装置、４１…電源、４２，４２Ｃｎ…報知部、４４…コンデンサ、４６…論理積回路、４８…抵抗、５０…コード、６０…クラブフェイス、６２…ミートエリア、６４…ヘッド、６６…シャフト、７０…絶縁シート、７２…開口部、８０…制御装置。
【図１】
2016140569.tif 000003
【図２】
2016140569.tif 000004
【図３】
2016140569.tif 000005
【図４】
2016140569.tif 000006
【図５】
2016140569.tif 000007
【図６】
2016140569.tif 000008
【図７】
2016140569.tif 000009
【図８】
2016140569.tif 000010
【図９】
2016140569.tif 000011
【図１０】
2016140569.tif 000012
【図１１】
2016140569.tif 000013
【図１２】
2016140569.tif 000014
【図１３】
2016140569.tif 000015
【図１４】
2016140569.tif 000016
【図１５】
2016140569.tif 000017
【図１６】
2016140569.tif 000018
【図１７】
2016140569.tif 000019
【図１８】
2016140569.tif 000020